(57)【特許請求の範囲】
【請求項１】
単電池と、前記単電池を挟持するホルダーとを備える組電池であって、
前記ホルダーは、
前記単電池を挟持する他のホルダーとの間から前記単電池の電極が突出するように前記単電池を保持する保持部と、
前記保持部から前記電極が突出する方向に突出し、前記保持部から突出する電極を挟むように向かい合う複数の突出部とを備え、
前記突出部は、
前記単電池を挟持する方向に沿って形成され、流体が流れる通路と、
前記通路と連通し、前記保持部から突出する電極に向けて開口する開口部とを備えることを特徴とする組電池。
【請求項２】
前記複数の突出部の開口部が向かい合う方向から前記ホルダーを見た場合に、前記開口部は前記保持部から突出する前記電極と重なるように形成されていることを特徴とする請求項１に記載の組電池。
【請求項３】
前記開口部は、前記他のホルダーの開口部とによって１つの流通孔を形成することを特徴とする請求項１または２に記載の組電池。
【発明の詳細な説明】
【技術分野】
【０００１】
本発明は組電池に関するものである。
【背景技術】
【０００２】
従来、組電池を冷却するものとして、電池スタックから電極端子が突出する端子突出面に沿って冷却風を流すものが特許文献１に開示されている。
【先行技術文献】
【特許文献】
【０００３】
【特許文献１】特開２００８−２３４９３６号公報
【発明の概要】
【発明が解決しようとする課題】
【０００４】
しかし、上記の発明では、発熱の大きい部位に集中して冷却風を流すには別部品のダクトを配置しなければならない、といった問題点がある。
【０００５】
本発明はこのような問題点を解決するために発明されたもので、別部品となるダクトを用いずに冷却風を発熱の大きい部位に集中して流すことを目的とする。
【課題を解決するための手段】
【０００６】
本発明の第１の態様は、単電池と、単電池を挟持するホルダーとを備える組電池であって、ホルダーは、単電池を挟持する他のホルダーとの間から単電池の電極が突出するように単電池を保持する保持部と、保持部から電極が突出する方向に突出し、保持部から突出する電極を挟むように向かい合う複数の突出部とを備え、突出部は、単電池を挟持する方向に沿って形成され、流体が流れる通路と、通路と連通し、保持部から突出する電極に向けて開口する開口部とを備えることを特徴とする。
【０００７】
本発明の第２の態様は、第１の態様において、複数の突出部の開口部が向かい合う方向からホルダーを見た場合に、開口部は保持部から突出する電極と重なるように形成されていることを特徴とする。
【０００８】
本発明の第３の態様は、第１の態様または第２の態様において、開口部は、他のホルダーの開口部とによって１つの流通孔を形成することを特徴とする。
【発明の効果】
【０００９】
第１の態様によると、流体が流れる通路と連通し、保持部から突出する電極に向けて開口する開口部を備えることで、電極に向けて流体を集中して流すことができ、他部品となるダクトなどを用いずに電極に向けて流体を集中して流すことができる。
【００１０】
第２の態様によると、開口部が向かい合う方向からホルダーを見た場合に、開口部と保持部から突出する電極とが重なるので、開口部から流れる流体を電極に集中して流すことができ、電極を効率良く冷却することができる。
【００１１】
第３の態様によると、単電池を挟持する２つのホルダーの開口部によって１つの流通孔を形成するので、電極の両面に沿って流体が流れるので、電極を効率良く冷却することができる。
【図面の簡単な説明】
【００１２】
【図１】本実施形態の組電池の斜視図である。
【図２】本実施形態の組電池の一部を示す分解斜視図である。
【発明を実施するための形態】
【００１３】
本発明の実施形態の組電池について図１、図２を用いて説明する。図１は本実施形態の組電池の斜視図である。図２は本実施形態の組電池の一部の分解斜視図である。
【００１４】
組電池１は、単電池２とホルダー３とを複数積層して構成される。なお、ここでは図１において積層方向に垂直な方向をｘ方向として説明する。
【００１５】
単電池２は、充放電を行う本体部４と、本体部４の正極側または負極側に接続する２つの電極５とを備える。２つの電極５が外部負荷、外部電源と接続することで、本体部４は充放電を行う。
【００１６】
２つの電極５は本体部４からｘ方向に突出するが、各電極５は本体部４から逆方向に向けて突出する。
【００１７】
なお、単電池２の電極５は図示しないバスバーによって隣接する単電池２の電極５などと接続している。
【００１８】
１つの単電池２は２つのホルダー３によって積層方向に挟持される。つまり、積層方向と２つのホルダー３によって１つの単電池２を挟持する方向とは一致する。
【００１９】
ホルダー３は、単電池２を保持する保持部６と、流体が流通する４つの流通部７とを備える。
【００２０】
保持部６は、積層方向から見た場合に矩形状である。保持部６は、組電池１として積層された場合に隣接するホルダー３と当接する当接面から積層方向に向けて凹部８が形成されている。凹部８には積層方向に貫通する孔９が形成されている。凹部８は、単電池２を保持する面に形成されている。つまり、組電池１の積層方向の両端に位置するホルダー３を除いて、ホルダー３は両面に保持部６（凹部８）を備えている。
【００２１】
凹部８は、単電池２の形状に合わせて形成される。凹部８に単電池２が配置されることで、保持部６は単電池２を保持する。単電池２が凹部８に配置された場合に、単電池２の電極５の先端側が保持部６からｘ方向に突出するように、凹部８は形成される。つまり、２つのホルダー３によって単電池２を挟持した場合に、単電池２の電極５の先端側は単電池２を挟持する２つのホルダー３の保持部６の間からｘ方向に突出する。
【００２２】
流通部７は、保持部６の四隅から、単電池２の電極５の先端側が保持部６から突出する方向と同一方向であるｘ方向に突出する。先端側が保持部６から突出する１つの電極５に対して２つの流通部７が、電極５が突出するｘ方向と同一方向に突出する。同一のｘ方向に突出する２つの流通部７は、保持部６から突出する電極５を挟んで向かい合うように形成される。
【００２３】
流通部７には、積層方向に貫通する貫通孔１０と、貫通孔１０と連通する開口部１１とが形成される。
【００２４】
流通部７は、組電池１として積層された場合に隣接するホルダー３の流通部７と当接面によって当接する。貫通孔１０は、組電池１としてホルダー３が積層された場合に、隣接するホルダー３の流通部７の貫通孔１０と連通し、全体として１つの流体通路１２を形成する。なお、積層方向の一方の端部に位置する流通部７においては流体通路１２の端部は閉塞されている。
【００２５】
開口部１１は、隣接するホルダー３の流通部７に当接する当接面および保持部６から突出する電極５に向けて開口しており、組電池１としてホルダー３が積層された場合に、隣接するホルダー３の流通部７の開口部１１と積層方向において合わさり、１つの流通孔１３を形成する。開口部１１は、組電池１の積層方向の両端に位置するホルダー３を除いて、開口部１１は両面に形成されている。１つの流通部７で隣り合う開口部１１の間には開口部１１を分離する分離壁１４が形成されている。分離壁１４によって流通孔１３から隣接する電極５の間に向けて流体が流れることを抑制することができる。
【００２６】
次に本実施形態の作用について説明する。
【００２７】
組電池１は充放電すると電極５の温度が高くなる。そこで、本実施形態では、流通部７の２つの流体通路１２に組電池１、特に電極５を冷却する流体、例えば空気をポンプを用いて流し、組電池１を冷却する。図１において流体の流れの一部を矢印で示す。
【００２８】
本実施形態では、電極５を挟んで向かい合う流体通路１２の一方の流体通路１２に流体を流入させる。流体通路１２に流入した流体は、隣接するホルダー３の流通部７の開口部１１によって形成された流通孔１３から電極５に向けて集中して流れ、電極５を冷却する。
【００２９】
本実施形態では、隣接するホルダー３（保持部６）によって単電池２を保持し、また隣接するホルダー３（流通部７）によって流通孔１３が形成されている。そのため、保持部６から突出する電極５を挟んで開口部１１が向かい合う方向から見た場合に、保持部６から突出する電極５と流通孔１３とは重なっており、流通孔１３から電極５に向けて流れる流体の大部分は電極５にぶつかり、また電極５の両面に沿って流体が流れ、電極５を冷却する。そのため、電極５の冷却効率が高くなる。
【００３０】
一方の流体通路１２の流通孔１３から電極５に向けた流れた気体は、一方の流体通路１２と電極５を挟んで向かい合うもう一方の流体通路１２と連通する流通孔１３を介して、もう一方の流体通路１２に流通し、この流体通路１２を通って組電池１の外部へと排出される。なお、ポンプなどによってもう一方の流体通路１２内の流体を吸引して、電極５に向けて流れた気体をもう一方の流体通路１２内に流通するようにしても良い。
【００３１】
本発明の実施形態の効果について説明する。
【００３２】
単電池２を挟持する保持部６からｘ方向に電極５の一部を突出させて、突出した電極５を挟むように向かい合う流通部７を設け、流通部７に形成した貫通孔１０と連通する開口部１１を、突出した電極５に向けて開口させる。これによって、貫通孔１０（流体通路１２）を流れる流体を開口部１１から電極５に向けて集中して流すことができる。そのため、例えばダクトなどを用いずに電極５を効率良く冷却することができる。
【００３３】
開口部１１が向かい合う方向からホルダー３を見た場合に、開口部１１と電極５とが重なるように開口部１１と保持部６の凹部８とを形成することで、開口部１１から電極５に向けて流体を集中して流すことができ、電極５を効率良く冷却することができる。
【００３４】
単電池２を挟持する２つのホルダー３の開口部１１によって１つの流通孔１３を形成することで、電極５の両面に沿って流体を流すことができ、電極５を効率良く冷却することができる。
【００３５】
なお、本実施形態では、単電池２の電極５を本体部４から逆方向に向けて突出させたが、同一方向に突出させても良い。
【００３６】
また、流体が供給される流体通路１２の流通孔１３（開口部１１）においては、流体の流れ方向の下流側となるにつれて、流通孔１３の大きさを大きくしてもよい。これによって、積層された単電池２を均一に冷却することができる。
【００３７】
本発明は上記した実施形態に限定されるものではなく、その技術的思想の範囲内でなしうるさまざまな変更、改良が含まれることは言うまでもない。
【符号の説明】
【００３８】
１      組電池
２      単電池
３      ホルダー
５      電極
６      保持部
７      流通部（突出部）
１０    貫通孔（通路）
１１    開口部
１３    流通孔
【図２】
0005663282.tif 000002
【図１】
0005663282.tif 000003